【事件の表示】
　特願２０１２−２７４６０８「ＬＣＤフレアの軽減」拒絶査定不服審判事件〔平成２５年　４月２５日出願公開、特開２０１３−　７７０２０〕について、次のとおり審決する。
【結　論】
　本件審判の請求は、成り立たない。
【理　由】
１　手続の経緯
　この審判事件に関する出願（以下、「本願」という。）は、２００９年（平成２１年）１月６日（パリ条約による優先権主張外国庁受理　２００８年１月９日（以下、「優先日」という。）、アメリカ合衆国）を国際出願日とする特願２０１０−５４２３１１号の一部を平成２４年１２月１７日に新たな特許出願としたものであって、平成２５年１０月２１日付け（発送：同年同月２９日）で拒絶理由を通知したところ、平成２６年４月２５日付けで特許請求の範囲及び明細書についての補正がなされ、同年６月１２日（送達：同年同月１７日）で拒絶査定がなされ、これに対し、同年１０月１７日に拒絶査定不服審判が請求されると同時に特許請求の範囲及び明細書についての補正がなされたものである。
　その後、当審より平成２７年５月２７日付け（発送：同年６月２日）で拒絶理由（以下、「当審拒絶理由」という。）を通知したところ、同年１１月３０日付けで意見書が提出されるとともに、同日付けで特許請求の範囲についての補正がなされたものである。
　
２　原査定の拒絶理由及び当審拒絶理由
　原査定の拒絶理由の一つは、本願の特許請求の範囲に記載の請求項１ないし１５に係る発明は、本願の優先日前に頒布された刊行物である特開２００７−３２２８８２号公報（発明の名称：表示装置および表示制御方法、出願人：ソニー株式会社、公開日：平成１９年１２月１３日、以下、「引用例１」という。）に記載された発明に基づいて、本願の優先日前にその発明の属する技術の分野における通常の知識を有する者が容易に発明をすることができたものであるから、特許法第２９条第２項の規定により特許を受けることができない、というものである。
　当審拒絶理由は、本願は、特許請求の範囲の記載が不備のため、特許法第３６条第６項第２号に規定する要件を満たしていない、というものであり、また、各請求項に係る発明が明確でないため、原査定で引用された引用例に記載された発明との対比ができないから、特許法第２９条第１項第３号、同２項及び第２９条の２の原査定の拒絶の理由は、留保する、というものである。
３　本願発明
　本願の請求項１〜１３に係る発明は、平成２７年１１月３０日付け手続補正書によって補正された特許請求の範囲の請求項１〜１３に記載された事項により特定されるとおりのものと認められるところ、その請求項１に係る発明は、次のとおりである。
　「　観察者によって見られるべきイメージを投影するように構成された二重変調装置を駆動する方法であって、
　第１の変調光を生成するように構成された第１の変調システムのために、所望のイメージデータに基づいて第１の駆動信号を計算すること、
　前記観察者によって見られるべき前記イメージを生成するように前記第１の変調光をさらに変調するように構成された第２の変調システムのために、前記イメージデータに基づいて第２の駆動信号を計算すること、
　前記第１の駆動信号および前記第２の駆動信号のうちの少なくとも一つを、前記観察者によって見られるべき前記イメージの比較的暗い領域において高輝度部分を囲むスカート効果を取り除くように調整すること、
　前記第１の駆動信号および前記第２の駆動信号のうちの少なくとも一つを、スカート効果を取り除いた前記イメージの高輝度部分に人為的なグレアを付与するように調整することを備え、
　前記人為的なグレアは、円形状のグレアを含むベーリンググレアを含み、
　前記人為的なグレアによって、前記観察者に対してバックライトの形状が隠される、方法。」（以下、「本願発明」という。）
　
４　引用例に記載の事項・引用発明
（１）記載事項
　引用例１には、次の事項アないしウが図面とともに記載されている。なお、下線は、当審で付与した。 
 ア 
「【請求項６】
　
所定の表示領域を分割した複数の領域ごとに個別に配置された複数の光源を有するバックライトと、前記表示領域に対応する複数の画素を有し、画素単位で前記光源からの光の透過率を変更するパネルと、画像信号を所定の関数に従って変換する変換手段と、前記複数の光源の発光輝度を、前記変換手段により変換された前記画像信号に応じて個別に設定するとともに、個別に設定された前記複数の光源の発光輝度に対応して、前記画素の光の透過率を設定する制御手段とを備え、前記画像信号に対応する画像を前記表示領域に表示する表示装置の表示制御方法において、
　
前記画像信号を所定の関数に従って変換し、
　
前記複数の光源の発光輝度を、変換された前記画像信号に応じて個別に設定し、
　
前記光の透過率と前記画像の表示輝度との関係を表す表示輝度特性に基づいて、個別に設定された前記複数の光源の発光輝度に対応する前記画素の光の透過率を設定する
　
ステップを含み、
　前記表示輝度特性は、所定の光の透過率以下の前記画像の表示輝度が、０以外の値で、かつ、前記複数の光源の発光輝度を同一に設定したときの基準表示輝度特性よりも低い値となっている
　
表示制御方法。
イ
「【００８２】
  図８乃至図１０を参照して、基準表示輝度特性ｆ１（図５）で表される設定階調変換テーブルと、表示輝度特性ｆ１’（図７）で表されるダイナミックレンジ対応設定階調変換テーブルによる効果の違いについて説明する。
【００８３】
  図８は、図３の液晶表示装置１が、基準表示輝度特性ｆ１（図５）で表される設定階調変換テーブルに従って、図２に示した原画像Ｐ１’を処理した結果を示している。
【００８４】
  図８Ａは、図２と同様の原画像Ｐ１’を示している。図８乃至図１０では、図８Ａの原画像Ｐ１’のうちの横方向の点線上の複数画素からなる領域（以下、対象領域という）の輝度について考える。
【００８５】
  図８Ｂは、原画像Ｐ１’の対象領域の輝度である原画像輝度を示している。即ち、図８Ｂに示すように、原画像Ｐ１’の領域Ｒ２’の原画像輝度は０で、領域Ｒ１’の原画像輝度は３０となっている。
【００８６】
  図８Ｃは、
対象領域に対するバックライト１２の光源BL
ｉｊ
による発光輝度
原画像Ｐ１’の領域Ｒ１’の中央（中心）に光源BL
ｉｊ
が位置する
【００８７】
  図８Dは、対象領域に対する液晶補正輝度を示している。原画像輝度が０のときの液晶補正輝度は、図５の基準表示輝度特性ｆ１の設定階調０のときに相当し、約１．０nitとなる。
【００８８】
  図８Ｅは、図８Ｃのバックライト１２の発光輝度と図８Ｄの液晶補正輝度とが合成されてなる表示輝度を示している。即ち、各画素の表示輝度は、バックライト１２の発光輝度×液晶補正輝度で表される。
【００８９】
  図８Eに示される表示輝度では、原画像Ｐ１’の領域Ｒ１’と領域Ｒ２’の境界が明確に区別されている。また、原画像Ｐ１’の最も暗い部分である領域Ｒ２’の表示輝度は、図５の基準表示輝度特性ｆ１のオフセットOFFSETと同一の約１．０nitとなっている。なお、原画像Ｐ１’の原画像輝度０に対応する、表示輝度の最も暗いレベルを、以下では、最低輝度レベルという。」
ウ
「【００９０】
  図９は、図５の液晶表示装置１０１が、表示輝度特性ｆ１’（図７）で表されるダイナミックレンジ対応設定階調変換テーブルに従って、図２に示した原画像Ｐ１’を処理した結果を示している。
【００９１】
  
図９Ａ乃至図９Ｃは、図８Ａ乃至図８Ｃとそれぞれ同様
【００９２】
  
図９Ｄは、図８Ｄと同様の、対象領域に対する液晶補正輝度を示している。
【００９３】
  その結果、図９Eに示されるように、原画像Ｐ１’の領域Ｒ１’に対応する表示輝度は、図８Eにおける場合と同程度のままで、最低輝度レベルは、一点鎖線で示されている基準表示輝度特性ｆ１を用いたときの最低輝度レベルより低く（黒く）なっている。即ち、黒いレベルがより黒く表示されるようになり、表示輝度のダイナミックレンジが拡大されている。
【００９４】
  従って、図５の液晶表示装置１０１によれば、図３の液晶表示装置１に比べて、表示輝度のダイナミックレンジを拡大させることができる。
【００９５】
  なお、表示輝度特性ｆ１’におけるオフセットOFFSETを小さい値に設定すればするほど、最低輝度レベルを０に近づけることができ、表示輝度のダイナミックレンジを拡大させることができるが、オフセットOFFSETは、０以外の値とする。
【００９６】
  仮に、表示輝度特性ｆ１’におけるオフセットOFFSETを０とした場合の処理結果を図１０に示す。
【００９７】
  表示輝度特性ｆ１’におけるオフセットOFFSETを０とした場合、原画像輝度０のときは、L_peakが０なので式（１）のγｉｊも０となり、S_data’＝０、即ち、図１０Ｄに示されるように液晶補正輝度が０となる。その結果、図１０Ｃの斜線部のバックライト１２の発光輝度が、図１０Ｅに示されるように、そのまま表示輝度として現れる。
【００９８】
  即ち、原画像Ｐ１’の領域Ｒ２’のうち、領域Ｒ１’の周辺の画素が、領域Ｒ１’の輝度に引っ張られるように明るくなってしまい、表示輝度特性ｆ１’におけるオフセットOFFSETを０とした場合、最低輝度レベルを最も低くすることができるものの、黒ムラが発生する。
【００９９】
  これに対して、図９に示したように、表示輝度特性ｆ１’におけるオフセットOFFSETを０．５とした場合には、黒ムラは発生しにくい。
【０１００】
  従って、メモリ１２１が記憶するダイナミックレンジ拡大対応設定階調変換テーブルを、図７に示したように、オフセットOFFSETが０以外で、所定の設定階調以下（図７では、約５０以下）の表示輝度が基準表示輝度特性ｆ１と比べて低い値に設定されている表示輝度特性ｆ１’に対応させることによって、黒ムラを抑制しつつ、表示輝度のダイナミックレンジを拡大させることができる。」
　また、図９Ａ及びＣには、　
「
バックライトの発光輝度は楕円形状の領域Ｒ１’の中央（中心）を最高輝度とし、輝度０に向かう裾野を有する山型の発光輝度分布を有し
　図９Ｄには、
「
液晶補正輝度は、領域Ｒ１’の中央（中心）で下に凸となり、領域Ｒ１’から離れるにしたがい一旦下降し、その後緩やかに増加し平坦となる分布を有し
　図９Ｅには、「
表示輝度は、領域Ｒ１’内では一定であり、領域Ｒ１’から離れるにしたがい一旦下降し、その後緩やかに平坦となる分布を有し
　上記ア（【請求項６】）には、
「　所定の表示領域を分割した複数の領域ごとに個別に配置された複数の光源を有するバックライトと、前記表示領域に対応する複数の画素を有し、画素単位で前記光源からの光の透過率を変更するパネルと、画像信号を所定の関数に従って変換する変換手段と、前記複数の光源の発光輝度を、前記変換手段により変換された前記画像信号に応じて個別に設定するとともに、個別に設定された前記複数の光源の発光輝度に対応して、前記画素の光の透過率を設定する制御手段とを備え、前記画像信号に対応する画像を前記表示領域に表示する表示装置の表示制御方法において、
　前記画像信号を所定の関数に従って変換し、
　前記複数の光源の発光輝度を、変換された前記画像信号に応じて個別に設定し、
　前記光の透過率と前記画像の表示輝度との関係を表す表示輝度特性に基づいて、個別に設定された前記複数の光源の発光輝度に対応する前記画素の光の透過率を設定する
　ステップを含み、
　前記表示輝度特性は、所定の光の透過率以下の前記画像の表示輝度が、０以外の値で、かつ、前記複数の光源の発光輝度を同一に設定したときの基準表示輝度特性よりも低い値となっている
　表示制御方法。」との技術事項が記載されている。
　上記イ（【００８６】、【００９１】）の記載、図８Ｃ及び図９Ｃから、
「対象領域に対するバックライト１２の光源BLｉｊによる発光輝度は、光源BLｉｊが位置する原画像Ｐ１’の楕円形状の領域Ｒ１’の中央（中心）を最高輝度とし、輝度０に向かう裾野を有する山型の発光輝度分布を有し」ているとの技術事項が読み取れる。
　上記ウ（【００９２】）の記載、及び図９Ｄから、
「液晶補正輝度は、光源BLｉｊが位置する領域Ｒ１’の中央（中心）で下に凸となり、領域Ｒ１’から離れるにしたがい一旦下降し、その後緩やかに増加し平坦となる分布を有し」ているとの技術事項が読み取れる。
　上記ウ（【００９３】）の記載、及び図９Ｅから、
「表示輝度は、領域Ｒ１’内では一定であり、領域Ｒ１’から離れるにしたがい一旦下降し、その後緩やかに平坦となる分布を有し」ているとの技術事項が読み取れる。
（２）　引用発明 
 　上記技術事項を総合勘案すると、引用例１には、以下の発明（以下、「引用発明」という。）が記載されている。
  
 「　所定の表示領域を分割した複数の領域ごとに個別に配置された複数の光源を有するバックライトと、前記表示領域に対応する複数の画素を有し、画素単位で前記光源からの光の透過率を変更するパネルと、画像信号を所定の関数に従って変換する変換手段と、前記複数の光源の発光輝度を、前記変換手段により変換された前記画像信号に応じて個別に設定するとともに、個別に設定された前記複数の光源の発光輝度に対応して、前記画素の光の透過率を設定する制御手段とを備え、前記画像信号に対応する画像を前記表示領域に表示する表示装置の表示制御方法において、
　前記画像信号を所定の関数に従って変換し、
　前記複数の光源の発光輝度を、変換された前記画像信号に応じて個別に設定し、
　前記光の透過率と前記画像の表示輝度との関係を表す表示輝度特性に基づいて、個別に設定された前記複数の光源の発光輝度に対応する前記画素の光の透過率を設定する
　ステップを含み、
　前記表示輝度特性は、所定の光の透過率以下の前記画像の表示輝度が、０以外の値で、かつ、前記複数の光源の発光輝度を同一に設定したときの基準表示輝度特性よりも低い値となっており、
　対象領域に対するバックライト１２の光源BLｉｊによる発光輝度は、光源BLｉｊが位置する原画像Ｐ１’の楕円形状の領域Ｒ１’の中央（中心）を最高輝度とし、輝度０に向かう裾野を有する山型の発光輝度分布を有し、
　液晶補正輝度は、光源BLｉｊが位置する領域Ｒ１’の中央（中心）で下に凸となり、領域Ｒ１’から離れるにしたがい一旦下降し、その後緩やかに増加し平坦となる分布を有し、
　表示輝度は、領域Ｒ１’内では一定であり、領域Ｒ１’から離れるにしたがい一旦下降し、その後緩やかに平坦となる分布を有する、
　表示制御方法。」 
  
５　対比
（１）　本願発明と引用発明を対比する。 
ア
　引用発明の「所定の表示領域を分割した複数の領域ごとに個別に配置された複数の光源を有するバックライトと、前記表示領域に対応する複数の画素を有し、画素単位で前記光源からの光の透過率を変更するパネルと、画像信号を所定の関数に従って変換する変換手段と、前記複数の光源の発光輝度を、前記変換手段により変換された前記画像信号に応じて個別に設定するとともに、個別に設定された前記複数の光源の発光輝度に対応して、前記画素の光の透過率を設定する制御手段とを備え、前記画像信号に対応する画像を前記表示領域に表示する表示装置の表示制御方法」は、本願発明の「観察者によって見られるべきイメージを投影するように構成された二重変調装置を駆動する方法」に相当する。
イ
　引用発明の「前記画像信号を所定の関数に従って変換し、前記複数の光源の発光輝度を、変換された前記画像信号に応じて個別に設定」することは、本願発明の「第１の変調光を生成するように構成された第１の変調システムのために、所望のイメージデータに基づいて第１の駆動信号を計算すること」に相当する。
ウ
　引用発明の「前記光の透過率と前記画像の表示輝度との関係を表す表示輝度特性に基づいて、個別に設定された前記複数の光源の発光輝度に対応する前記画素の光の透過率を設定する」ことは、本願発明の「前記観察者によって見られるべき前記イメージを生成するように前記第１の変調光をさらに変調するように構成された第２の変調システムのために、前記イメージデータに基づいて第２の駆動信号を計算すること」に相当する。
エ
　引用発明において、「対象領域に対するバックライト１２の光源BLｉｊによる発光輝度は、光源BLｉｊが位置する原画像Ｐ１’の楕円形状の領域Ｒ１’の中央（中心）を最高輝度とし、輝度０に向かう裾野を有する山型の発光輝度分布を有し」ている。ここで、引用発明の「輝度０に向かう裾野」の発光輝度分布は、高輝度部分を囲むスカートであるといえる。そして、引用発明において、「輝度０に向かう裾野」の発光輝度分布は、「領域Ｒ１’から離れるにしたがい一旦下降し、その後緩やかに増加し平坦となる分布を有」する「液晶補正輝度」によって、「領域Ｒ１’内では一定であり、領域Ｒ１’から離れるにしたがい一旦下降し、その後緩やかに平坦となる分布を有」する「表示輝度」になり、「輝度０に向かう裾野」の発光輝度分布は、「領域Ｒ１’から離れるにしたがい一旦下降」するから、本願発明のようにスカート効果を取り除いているといえる。
　よって、引用発明の「前記光の透過率と前記画像の表示輝度との関係を表す表示輝度特性に基づいて、個別に設定された前記複数の光源の発光輝度に対応する前記画素の光の透過率を設定する」ことは、前記「液晶補正輝度」に設定することであり、本願発明の「前記第１の駆動信号および前記第２の駆動信号のうちの少なくとも一つを、前記観察者によって見られるべき前記イメージの比較的暗い領域において高輝度部分を囲むスカート効果を取り除くように調整すること」に相当する。
オ
　引用発明において、前記「液晶補正輝度」のように「画素の光の透過率を設定する」ことによって、「表示輝度は、領域Ｒ１’内では一定」となるものである。ここで、輝度が一定な領域Ｒ１’は、楕円形状のグレアとして表示されるものであるから、引用発明の「画素の光の透過率を設定する」ことは、本願発明の「前記第１の駆動信号および前記第２の駆動信号のうちの少なくとも一つを、スカート効果を取り除いた前記イメージの高輝度部分に人為的なグレアを付与するように調整すること」に相当し、そして、円形は楕円の一形態であるから、引用発明における輝度が一定な楕円形状の領域Ｒ１’の表示と、本願発明の「前記人為的なグレアは、円形状のグレアを含むベーリンググレアを含」むことは、共に、「前記人為的なグレアは、楕円形状のグレアを含むベーリンググレアを含」む点で共通する。
カ
 　引用発明において、「光源BLｉｊが位置する原画像Ｐ１’の楕円形状の領域Ｒ１’の中央（中心）を最高輝度」が、「光源BLｉｊが位置する領域Ｒ１’の中央（中心）で下に凸とな」る「液晶補正輝度」により低減され、「表示輝度は、領域Ｒ１’内では一定」となっている。つまり、光源BLｉｊが位置する領域Ｒ１’の中央（中心）を含む領域Ｒ１’内では輝度が一定となっていることから、輝度の違いによっては光源の位置が識別できないことを意味する。
　よって、引用発明の輝度が一定な領域Ｒ１’の表示は、本願発明の「前記人為的なグレアによって、前記観察者に対してバックライトの形状が隠される」表示に相当するといえる。 
（２）　したがって、本願発明と引用発明は、次の点で一致する。 
 　「　観察者によって見られるべきイメージを投影するように構成された二重変調装置を駆動する方法であって、
　第１の変調光を生成するように構成された第１の変調システムのために、所望のイメージデータに基づいて第１の駆動信号を計算すること、
　前記観察者によって見られるべき前記イメージを生成するように前記第１の変調光をさらに変調するように構成された第２の変調システムのために、前記イメージデータに基づいて第２の駆動信号を計算すること、
　前記第１の駆動信号および前記第２の駆動信号のうちの少なくとも一つを、前記観察者によって見られるべき前記イメージの比較的暗い領域において高輝度部分を囲むスカート効果を取り除くように調整すること、
　前記第１の駆動信号および前記第２の駆動信号のうちの少なくとも一つを、スカート効果を取り除いた前記イメージの高輝度部分に人為的なグレアを付与するように調整することを備え、
　前記人為的なグレアは、楕円形状のグレアを含むベーリンググレアを含み、
　前記人為的なグレアによって、前記観察者に対してバックライトの形状が隠される、方法。」
  
（３）　そして、以下の点で相違する。 
　本願発明は、円形状のグレアであるのに対し、引用発明は、グレアに相当する領域Ｒ１’の形状が楕円形状である点。 （以下、「相違点」という。）
  
 ６　判断 
 　以下、相違点について検討する。
　引用発明において、グレアに相当する領域Ｒ１’の形状が楕円形状であるのは、引用発明のバックライトの「所定の表示領域を分割した複数の領域ごとに個別に配置された複数の光源」の形状に起因するものである（引用例１図１Ｂ参照。）。
　そして、バックライトの光源をどのような形状にするかは、当業者が適宜設定し得る事項であり、発光輝度分布が円形状となる光源は、一般的な光源であるから、引用発明において、発光輝度分布が円形状となる一般的な光源を採用し、相違点に係る構成とすることは、当業者が容易に想到し得ることである。
　そして、相違点を勘案しても、本願発明の奏する作用効果は、引用発明の奏する作用効果から予測される範囲内のものにすぎず、格別顕著なものと言うことはできない。
　したがって、本願発明は、引用発明に基づいて、当業者が容易に想到し得ることである。 
７　むすび
　以上のとおり、本願発明は、引用発明に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。